(57)【要約】      （修正有）【課題】血圧値や脈拍数等の生体情報を自動的に測定する際の測定精度を向上させることが可能な測定システムを提供する。【解決手段】被測定者の身体に装着され、装着部位の角速度を検知する角速度検知部１０３と、角速度検知部１０３によって検知される角速度に基づいて、被測定者が静止状態であるか否かを判断する状態判断部１０５と、被測定者の身体に装着され、状態判断部１０５によって被測定者が静止状態であると判断された場合に、被測定者の血圧値または脈拍数の少なくともいずれかを含む生体情報を測定する測定部１０４と、測定部１０４により測定された生体情報を予め設定された基準値と比較する比較部と、比較部による比較結果に応じた情報を外部装置に対し送信する送信部１０９と、を備える測定システムが提供される。【選択図】図３
2008167899.tif 000002
【特許請求の範囲】
【請求項１】
被測定者の身体に装着され、装着部位の角速度を検知する角速度検知部と、
前記角速度検知部によって検知される角速度に基づいて、前記被測定者が静止状態であるか否かを判断する状態判断部と、
前記被測定者の身体に装着され、前記状態判断部によって前記被測定者が静止状態であると判断された場合に、前記被測定者の血圧値または脈拍数の少なくともいずれかを含む生体情報を測定する測定部と、
前記測定部により測定された前記生体情報を予め設定された基準値と比較する比較部と、
前記比較部による比較結果に応じた情報を外部装置に対し送信する送信部と、
を備えることを特徴とする、測定システム。
【請求項２】
前記測定システムは、前記被測定者の身体に装着されて前記生体情報を測定する測定装置と、前記測定装置と通信可能な通信装置とからなり、
前記測定装置は、
前記角速度検知部と、
前記状態判断部と、
前記測定部と、
前記測定部により測定された前記生体情報を前記通信装置に対して送信する生体情報送信部と、
を含み、
前記通信装置は、
前記測定装置から送信される前記生体情報を受信する生体情報受信部と、
前記比較部と、
前記送信部と、
を含むことを特徴とする、請求項１に記載の測定システム。
【請求項３】
前記状態判断部は、前記角速度検知部によって継続的に検知される前記角速度に基づいて、前記被測定者が一定時間以上静止状態であるか否かを判断し、
前記被測定者が一定時間以上静止状態であると判断された場合、前記測定部は、前記被測定者の前記生体情報を測定することを特徴とする、請求項１または２のいずれかに記載の測定システム。
【請求項４】
前記比較部は、前記比較結果から前記生体情報が前記基準値により定められる範囲外の値である場合に異常であると判断し、
前記送信部は、前記被測定者に異常が発生した旨を通知する通知情報を送信することを特徴とする、請求項１〜３のいずれかに記載の測定システム。
【請求項５】
前記測定装置と前記通信装置との間のデータ通信を中継する複数の中継装置をさらに備え、
前記測定装置は、
前記状態判断部によって一定時間内に前記被測定者が動いたことが検知された場合に、前記測定装置の位置を特定するための位置信号を送信する位置信号送信部をさらに含み、
前記通信装置は、
前記被測定者の位置情報及び／または時刻情報に応じて予め設定された複数の前記基準値を記憶する基準値記憶部と、
前記測定装置から前記中継装置を介して送信される前記位置信号を受信する位置信号受信部と、
いずれの前記中継装置から前記位置信号を受信したかに基づいて、前記被測定者の位置を特定する位置特定部と、
前記基準値記憶部に記憶された前記複数の基準値の中から、前記生体情報の測定時刻と、前記位置特定部により特定された位置とに基づいて、前記基準値を選択する基準値選択部と、
をさらに備え、
前記比較部は、前記基準値選択部によって選択された基準値を用いて比較することを特徴とする、請求項２〜４のいずれかに記載の測定システム。
【請求項６】
前記被測定者の身体の前記測定部の装着部位とは異なる位置に装着される角度センサをさらに備え、
前記状態判断部は、前記角度センサにより検知される角度情報に基づいて前記被測定者の姿勢を判断し、前記姿勢に応じて前記生体情報の測定を行うか否かを判断することを特徴とする、請求項１〜５のいずれかに記載の測定システム。
【請求項７】
前記被測定者の入力に基づいて個人認証を行う個人認証部をさらに備え、
前記個人認証部による認証結果に応じて前記測定部による測定を制御し、
または、認証された識別情報を前記測定部により測定される前記生体情報に付加することを特徴とする、請求項１〜６のいずれかに記載の測定システム。
【請求項８】
被測定者の身体に装着され、装着部位の角速度を検知する角速度検知部と、
前記角速度検知部によって検知される角速度に基づいて、前記被測定者が静止状態であるか否かを判断する状態判断部と、
前記被測定者の身体に装着され、前記状態判断部によって前記被測定者が静止状態であると判断された場合に、前記被測定者の血圧値または脈拍数の少なくともいずれかを含む生体情報を測定する測定部と、
前記測定部により測定された前記生体情報を外部装置に対して送信する送信部と、
を備えることを特徴とする、測定装置。
【請求項９】
被測定者の身体に装着されるジャイロセンサにより検知される前記ジャイロセンサの角速度に基づいて前記被測定者が静止状態であると判断された場合に測定された、前記被測定者の血圧値または脈拍数の少なくともいずれかを含む生体情報を受信する受信部と、
前記受信部により受信された生体情報を予め設定された基準値と比較する比較部と、
前記比較部による比較結果に応じた情報を外部装置に対し送信する送信部と、
を備えることを特徴とする、通信装置。
【請求項１０】
被測定者の身体に装着されるジャイロセンサにより前記ジャイロセンサの角速度を検知する角速度検知ステップと、
前記角速度検知ステップにおいて検知された前記角速度に基づいて、前記被測定者が静止状態であるか否かを判断する状態判断ステップと、
前記状態判断ステップにおいて前記被測定者が静止状態であると判断された場合に、前記被測定者の血圧値または脈拍数の少なくともいずれかを含む生体情報を測定する測定ステップと、
前記測定ステップにおいて測定された前記生体情報を予め設定された基準値と比較する比較ステップと、
前記比較ステップによる比較結果に応じた情報を外部装置に対し送信する送信ステップと、
を含むことを特徴とする、測定方法。
【発明の詳細な説明】
【技術分野】
【０００１】
本発明は、測定システム、測定装置、通信装置及び測定方法に関する。
【背景技術】
【０００２】
近年、急速な社会発展と共に多様な環境的な要因や食生活の変化等により、疾病の発生頻度が高くなっている。また一方では、医療科学の発展と生活水準の向上によって平均寿命が延びていることなどから、高齢者人口の比率は年々増加している。このような疾病患者や高齢者の増加に対して医療従事者の数は不足しており、患者一人一人の健康状態を常時管理する余裕がないのが現状である。
【０００３】
このような社会的な状況を反映して、不足する医療従事者の手間を省略するための医療システムや、個人が自分自身や家族の健康管理を行うための医療補助機器が盛んに研究開発されている。例えば、患者の腕等に常時装着させて定期的に血圧や脈拍を測定し、測定結果をモニタリングできるようにする血圧計等が考案されている。また、測定した値から異常が検知された場合に、自動的に医療機関や家族に対し異常が通知されるようにしたものもある。このような機器を用いることにより、病室に患者が付き添いなしで居る場合や高齢者が一人で自宅に居る場合であっても、体調が急変したことを即時に知らせることができ、適切な処置を施すことができる。
【発明の開示】
【発明が解決しようとする課題】
【０００４】
しかしながら、上述のような機器の場合、血圧や脈拍の測定が予め設定されたタイミングで自動的に行われるため、測定時に被測定者が必ずしも安静状態ではない可能性がある。被測定者が安静状態でないと、正確な測定結果が得られないため、このような機器によるモニタリングの効果は低下してしまう。また、異常が発生したか否かを判断する際に誤った結果を生じることもあるため、最悪の場合、被測定者に緊急事態が発生したことを適切に通知することができないという問題があった。
【０００５】
そこで、本発明は、上記問題に鑑みてなされたものであり、本発明の目的とするところは、血圧値や脈拍数等の生体情報を自動的に測定する際の測定精度を向上させることが可能な新規かつ改良された測定システム、測定装置、通信装置及び測定方法を提供することにある。
【課題を解決するための手段】
【０００６】
上記課題を解決するために、本発明のある観点によれば、被測定者の身体に装着され、装着部位の角速度を検知する角速度検知部と、角速度検知部によって検知される角速度に基づいて、被測定者が静止状態であるか否かを判断する状態判断部と、被測定者の身体に装着され、状態判断部によって被測定者が静止状態であると判断された場合に、被測定者の血圧値または脈拍数の少なくともいずれかを含む生体情報を測定する測定部と、測定部により測定された生体情報を予め設定された基準値と比較する比較部と、比較部による比較結果に応じた情報を外部装置に対し送信する送信部と、を備える測定システムが提供される。
【０００７】
かかる構成により、被測定者が静止状態である場合にのみ血圧値や脈拍数を測定することが可能となり、被測定者が意識しなくても自動的に精度の高い測定値を得ることができるようになる。また、測定された値から被測定者の健康状態に異常が発生したことが検知された場合に、家族や病院に異常の発生を迅速に通知することが可能となる。また、病院や自治体においては、このようにして測定された血圧値や脈拍数等の生体情報のデータや、それらのデータから判断される健康状態に関する情報を蓄積することによって、被測定者である患者や高齢者の健康状態をさらに詳細に分析し、適切な処方を行うために役立てることができる。
【０００８】
また、上記測定システムは、被測定者の身体に装着されて生体情報を測定する測定装置と、測定装置と通信可能な通信装置とからなるものであってもよい。さらに、測定装置は、角速度検知部と、状態判断部と、測定部と、測定部により測定された生体情報を通信装置に対して送信する生体情報送信部と、を含むものであってもよい。さらに、通信装置は、測定装置から送信される生体情報を受信する生体情報受信部と、比較部と、送信部と、を含むものであってもよい。これにより、測定装置の構成を簡単化することができ、測定装置を小型化して被測定者の身体に装着するのを容易にしたり、装着時の違和感を軽減することができる。
【０００９】
また、状態判断部は、角速度検知部によって継続的に検知される角速度に基づいて、被測定者が一定時間以上静止状態であるか否かを判断し、被測定者が一定時間以上静止状態であると判断された場合、測定部は、被測定者の前記生体情報を測定するようにしてもよい。これにより、介護者等が離れた場所にいる場合であっても、被測定者が一定時間以上動いていないことを知ることができ、さらに、送信された血圧等の値から被測定者の安否確認を行うことができる。
【００１０】
また、比較部は、比較結果から生体情報が基準値により定められる範囲外の値である場合に異常であると判断し、送信部は、被測定者に異常が発生した旨を通知する通知情報を送信するようにしてもよい。これにより、測定された血圧値や脈拍数が、予め設定された基準値を超えていたり、基準値よりも値が低すぎる場合、直ちに家族や主治医等に電話やメール等で通知することができる。これにより、家族や主治医が被測定者と離れた場所にいる場合であっても、被測定者の健康状態の変化をすぐに感知することができ、迅速に処置をとることができる。
【００１１】
また、測定装置と通信装置との間のデータ通信を中継する複数の中継装置をさらに備えてもよい。さらに、測定装置は、状態判断部によって一定時間内に被測定者が動いたことが検知された場合に、測定装置の位置を特定するための位置信号を送信する位置信号送信部をさらに含み、通信装置は、被測定者の位置情報及び／または時刻情報に応じて予め設定された複数の基準値を記憶する基準値記憶部と、測定装置から中継装置を介して送信される位置信号を受信する位置信号受信部と、いずれの中継装置から位置信号を受信したかに基づいて、被測定者の位置を特定する位置特定部と、基準値記憶部に記憶された複数の基準値の中から、生体情報の測定時刻と、位置特定部により特定された位置とに基づいて、基準値を選択する基準値選択部と、をさらに備え、比較部は、基準値選択部によって選択された基準値を用いて比較するようにしてもよい。これにより、血圧値や脈拍数が測定された時刻や、測定時の被測定者のおおよその位置によって、測定値の判断基準を変更することができるようになる。従って、被測定者の生活パターンにより即した健康状態の異常検知を行うことができるようになり、異常検知の検知精度を向上させることができる。
【００１２】
また、被測定者の身体の測定部の装着部位とは異なる位置に装着される角度センサをさらに備え、状態判断部は、角度センサにより検知される角度情報に基づいて被測定者の姿勢を判断し、姿勢に応じて生体情報の測定を行うか否かを判断するようにしてもよい。これにより、被測定者が座った状態であるか、あるいは寝ている状態であるか等を確認して測定を開始することができ、測定精度をさらに向上することができる。
【００１３】
また、被測定者の入力に基づいて個人認証を行う個人認証部をさらに備え、個人認証部による認証結果に応じて測定部による測定を制御してもよい。または、認証された識別情報を測定部により測定される生体情報に付加するようにしてもよい。これにより、測定装置を複数人で共有して使用する場合等に、測定装置を現在使用しているのが誰であるかを認識することができる。また、認証された人だけが測定機能を利用できるようにしたり、測定装置に格納されている測定データ等にアクセス権限を設定し、自分の測定データ以外にはアクセスできないようにすることも可能となる。
【００１４】
また、上記課題を解決するために、本発明の別の観点によれば、被測定者の身体に装着され、装着部位の角速度を検知する角速度検知部と、角速度検知部によって検知される角速度に基づいて、被測定者が静止状態であるか否かを判断する状態判断部と、被測定者の身体に装着され、状態判断部によって被測定者が静止状態であると判断された場合に、被測定者の血圧値または脈拍数の少なくともいずれかを含む生体情報を測定する測定部と、測定部により測定された生体情報を外部装置に対して送信する送信部と、を備える測定装置が提供される。
【００１５】
かかる構成により、被測定者が静止状態である場合にのみ血圧値や脈拍数を測定することが可能となり、被測定者が意識しなくても自動的に精度の高い測定値を得ることができるようになる。
【００１６】
また、上記課題を解決するために、本発明の別の観点によれば、被測定者の身体に装着されるジャイロセンサにより検知されるジャイロセンサの角速度に基づいて被測定者が静止状態であると判断された場合に測定された、被測定者の血圧値または脈拍数の少なくともいずれかを含む生体情報を受信する受信部と、受信部により受信された生体情報を予め設定された基準値と比較する比較部と、比較部による比較結果に応じた情報を外部装置に対し送信する送信部と、を備える通信装置が提供される。
【００１７】
かかる構成により、測定された値から被測定者の健康状態に異常が発生したことが検知された場合に、家族や病院に異常の発生を迅速に通知することが可能となる。また、病院や自治体においては、このようにして測定された血圧値や脈拍数等の生体情報のデータや、それらのデータから判断される健康状態に関する情報を蓄積することによって、被測定者である患者や高齢者の健康状態をさらに詳細に分析し、適切な処方を行うために役立てることができる。
【００１８】
また、上記課題を解決するために、本発明の別の観点によれば、被測定者の身体に装着されるジャイロセンサによりジャイロセンサの角速度を検知する角速度検知ステップと、角速度検知ステップにおいて検知された角速度に基づいて、被測定者が静止状態であるか否かを判断する状態判断ステップと、状態判断ステップにおいて被測定者が静止状態であると判断された場合に、被測定者の血圧値または脈拍数の少なくともいずれかを含む生体情報を測定する測定ステップと、測定ステップにおいて測定された生体情報を予め設定された基準値と比較する比較ステップと、比較ステップによる比較結果に応じた情報を外部装置に対し送信する送信ステップと、を含む測定方法が提供される。
【００１９】
かかる構成により、被測定者が静止状態である場合にのみ血圧値や脈拍数を測定することが可能となり、被測定者が意識しなくても自動的に精度の高い測定値を得ることができるようになる。また、測定された値から被測定者の健康状態に異常が発生したことが検知された場合に、家族や病院に異常の発生を迅速に通知することが可能となる。また、病院や自治体においては、このようにして測定された血圧値や脈拍数等の生体情報のデータや、それらのデータから判断される健康状態に関する情報を蓄積することによって、被測定者である患者や高齢者の健康状態をさらに詳細に分析し、適切な処方を行うために役立てることができる。
【発明の効果】
【００２０】
以上説明したように本発明によれば、血圧値や脈拍数等の生体情報を自動的に測定する際の測定精度を向上させることが可能となる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
（第１の実施形態）
まず、図１に基づいて、本発明の第１の実施形態にかかる測定システムについて説明する。図１は、本実施形態にかかる測定システム１の構成を示す説明図である。
【００２３】
（測定システム１の構成）
本実施形態にかかる測定システム１は、図１に示すように、ユーザ（被測定者）の血圧値及び脈拍数を測定する血圧計１０と、血圧計１０から送信された血圧値及び脈拍数を受信し、受信した血圧値及び脈拍数に基づいてユーザの健康状態に関する情報を外部に送信する通信装置２０とから構成される。
【００２４】
血圧計１０は、ユーザの上腕や手首等に簡易に装着でき、血圧値と脈拍数とを測定するための装置である。なお、本実施形態にかかる血圧計１０は、本発明にかかる測定装置の一例であって、生体情報の一例として血圧値及び脈拍数を測定するために用いられるものである。
【００２５】
通信装置２０は、血圧計１０を装着したユーザと同じ部屋あるいは同じ建物内に設置され、血圧計１０から送信される血圧計や脈拍数の測定値を受信し、ユーザの健康状態に関する情報を医療機関等に通知するための装置である。通信装置２０は、公衆回線網３１、インターネット３２、ＬＡＮ３３等のネットワークを介して介護者や自治体、医療機関等の固定電話３４、携帯電話３５、またはサーバ等のコンピュータ３６と接続され、ユーザの健康状態に関する情報を介護者や自治体、医療機関等に通知することができるように構成される。
【００２６】
（血圧計１０の構成）
次に、図２及び図３に基づいて、本実施形態にかかる測定システム１で使用される血圧計１０の構成について説明する。なお、図２は、本実施形態にかかる血圧計１０の外観を示す斜視図である。また、図３は、本実施形態にかかる血圧計１０の概略構成を示すブロック図である。
【００２７】
まず、図２に基づいて、血圧計１０の外観構成を説明する。血圧計１０は、図２に示すように、各素子が設置された回路基板（図示せず）等を内部に含む本体１００と、空気通路またはチューブ（図示せず）等を含み、ユーザの上腕または手首等に容易に装着可能なカフ（腕に巻きつけるベルト）１２０とから構成される。ユーザは、カフ１２０を上腕または手首等に巻きつけることにより、血圧計１０を装着することができる。さらに、本体１００の上面には、ユーザが各種設定値を入力するための入力部１０２と、測定された血圧値及び脈拍数等の各種データをユーザが確認できるように表示する表示部１１０とが設けられる。
【００２８】
次に、図３に基づいて、血圧計１０の本体１００内部の概略構成を説明する。血圧計１０の本体１００は、図３に示すように、電源部１０１と、入力部１０２と、角速度検知部１０３と、測定部１０４と、制御部１０５と、記憶部１０６と、モータ駆動部１０７と、圧力制御部１０８と、無線送信部１０９と、表示部１１０とにより構成される。以下、血圧計１０の各部について説明する。
【００２９】
（電源部１０１）
電源部１０１は、血圧計１０が動作するための電力を供給するための機能部である。血圧計１０は、例えば、本体１００に設けられて電源をオン／オフするために用いられる電源ボタン（図示せず）等により、制御部１０５等への電力供給／遮断の切り替えが行われる。電源部１０１は、ユーザの操作により電源ボタンがオンにされたことを検知すると、本体１００内部に内蔵された携帯用バッテリまたは電源をコンセント等から直接供給するアダプタ（いずれも図示せず）から電力を制御部１０５に供給する。また、電源部１０１は、電源ボタンがオフにされたことを検知すると、制御部１０５への電力供給を停止する。
【００３０】
（入力部１０２）
入力部１０２は、各種の設定情報を入力するためのボタンやスイッチ等からなる。入力部１０２は、例えば、血圧値を測定する測定時刻や、無線送信部１０９で用いられる無線通信に関する設定情報等、血圧計１０の各部を制御するための各種のパラメータを入力したり、過去に測定された血圧値や脈拍数のデータを読み出して表示部１１０に表示させるために用いられる。
【００３１】
（角速度検知部１０３）
角速度検知部１０３は、血圧計１０が装着されたユーザの上腕や手首等の装着部位の動きに応じた角速度を検知するための機能部である。角速度検知部１０３は、ジャイロセンサ等の角速度の大きさを検知することが可能なセンサにより構成され、血圧計１０が装着されたユーザの上腕や手首等の装着部位の動きに応じた角速度を検知する。このような角速度検知部１０３により検知される角速度の値により、血圧計１０が装着されているユーザの上腕や手首等の動きを認識することができ、ユーザが静止している状態、つまり、血圧値や脈拍数を測定可能な状態であるか否かを判断するのに用いることができる。また、角速度検知部１０３は、角速度を継続的に検知し、検知した角速度を制御部１０５に所定の時間間隔で継続的に通知するようにしてもよく、あるいは、制御部１０５からの要求があったタイミングで、検知された角速度を通知するようにしてもよい。
【００３２】
（測定部１０４）
測定部１０４は、ユーザの脈圧を感知し、脈圧から最高血圧値、最低血圧値、脈拍数等の生体情報を測定するための機能部である。測定部１０４は、カフ１２０が装着されたユーザの上腕または手首から脈圧を感知する圧力センサを含み、圧力制御部１０８によってカフ１２０に圧力が掛けられたときに、圧力センサによって脈圧を感知する。さらに、測定部１０４は、圧力センサによって感知された脈圧信号を電気信号に変換し、変換された電気信号を用いて演算処理を行うことによって、ユーザの最高血圧値、最低血圧値、脈拍数等を測定する。測定される値は、血圧値または脈拍数のいずれか一方であってもよく、両方であってもよい。また、血圧値や脈拍値以外の値を測定するようにしてもよい。測定部１０４は、制御部１０５の制御により動作し、制御部１０５からの指示を受けて脈圧感知等の処理を実行する。また、測定部１０４によって算出された血圧値や脈拍数等は、測定部１０４から制御部１０５に通知される。
【００３３】
（制御部１０５）
制御部１０５は、血圧計１０の各部を制御して血圧計１０を動作させるための制御を行う機能部である。制御部１０５は、測定部１０４、モータ駆動部１０７及び圧力制御部１０８を制御してユーザの血圧値及び脈拍数を測定させ、測定値を記憶部１０６に格納したり、あるいは無線送信部１０９や表示部１１０に出力する。また、制御部１０５は、入力部１０２から入力された各種の設定情報を受け取って記憶部１０６に格納し、制御部１０５に接続される各部を制御するために必要に応じて記憶部１０６に記憶された情報を読み出す。
【００３４】
また、本実施形態にかかる制御部１０５は、本発明にかかる状態判断部を内部に含み、血圧値及び脈拍数を測定する際にユーザの状態を判断して測定を行うように測定部１０４等を制御する機能を有する。以下、本発明にかかる状態判断部として機能する制御部１０５の機能について説明する。
【００３５】
制御部１０５は、血圧・脈拍測定を行う際に、まず、角速度検知部１０３から通知される角速度の値を用いてユーザが静止状態であるか否かを判断する。ユーザが静止状態であるか否かは、例えば、角速度が０であるか否かにより判断してもよく、あるいは、静止状態と判断する角速度の範囲を予め定めておき、検知された角速度の値がその範囲内にあるか否かにより判断するようにしてもよい。制御部１０５は、ユーザが静止状態の場合、血圧値を測定することが可能であると判断し、血圧値または脈拍数を測定するように測定部１０４、モータ駆動部１０７及び圧力制御部１０８を制御する。
【００３６】
一方、角速度が予め定められた範囲内の値ではなく、ユーザが静止状態ではないと判断される場合、制御部１０５は、血圧値が測定できなかったことを通知するメッセージを生成し、無線送信部１０９を通じてメッセージを通信装置２０に送信するようにしてもよく、または表示部１１０にメッセージを表示させるようにしてもよい。あるいは、制御部１０５は、所定の時間経過後に再び角速度検知部１０３から角速度の値を取得し、ユーザの状態を判断する処理を、測定が正常に行えるまで繰り返すようにしてもよい。あるいは、かかる処理を繰り返して実行した回数が所定の閾値を超えたら処理を終了し、血圧・脈拍値が測定できなかったことを通知する通知情報を無線送信部１０９を通じて通信装置２０に送信するようにしてもよい。
【００３７】
また、制御部１０５は、角速度検知部１０３から継続的に通知される角速度の値から、ユーザが静止状態であるか否かの判断を所定の時間間隔で継続的に行うようにしてもよい。このとき、一定時間以上継続して静止状態であると判断された場合に、制御部１０５は、測定部１０４、モータ駆動部１０７及び圧力制御部１０８を制御して血圧値や脈拍数を測定するようにしてもよい。さらに、一定時間以上静止状態であったことを示すメッセージを生成し、測定値とともに無線送信部１０９から送信したり、表示部１１０に表示させるようにしてもよい。これにより、病室に患者が一人でいる場合や、自宅に高齢者が一人でいる場合であっても、家族や病室から離れた場所にいる医師や看護士に患者や高齢者が一定時間以上動いていないことを通知することができる。また、それと同時に、血圧値等を測定して送信することにより、離れた場所からでも患者や高齢者の安否確認を行うことができる。
【００３８】
（記憶部１０６）
記憶部１０６は、各種設定値や、測定された血圧値や脈拍数等のデータを記憶するための記憶部である。記憶部１０６は、入力部１０２から入力された各種の設定情報や、測定部１０４によって測定された血圧値や脈拍数等の測定値を記憶する。
【００３９】
（モータ駆動部１０７）
モータ駆動部１０７は、脈圧感知のために空気の吸気及び排気を助けるモータ（図示せず）を駆動するための機能部である。モータ駆動部１０７は、測定部１０４において脈圧を感知する際に制御部１０５の制御により動作し、制御部１０５からの指示を受けて本体１００内部に設けられたモータを駆動する。モータ駆動部１０７によって駆動されたモータは、カフ１２０内の吸気または排気を行うチャージポンプ（図示せず）に動力を与える。モータから与えられた動力によりチャージポンプが動作することによって、カフ１２０の空気通路またはチューブの吸気または排気が行われる。
【００４０】
（圧力制御部１０８）
圧力制御部１０８は、脈圧感知のためにカフ１２０に加える圧力を制御するための機能部である。圧力制御部１０８は、測定部１０４において脈圧を感知する際に制御部１０５の制御により動作し、カフ１２０内の吸気または排気を行うチャージポンプ（図示せず）を制御する。圧力制御部１０８は、制御部１０５の指示によりチャージポンプを制御し、カフ１２０の空気通路またはチューブの吸気または排気が行われるようにする。これにより、カフ１２０の圧力が上昇したり減少したりして圧力が制御される。
【００４１】
（無線送信部１０９）
無線送信部１０９は、測定された血圧値及び脈拍数を通信装置２０に送信するための機能部である。なお、本実施形態にかかる無線送信部１０９は、本発明にかかる生体信号送信部の一例である。無線送信部１０９は、制御部１０５から血圧値や脈拍数のデータを受け取って無線信号に変換し、通信装置２０に対して送信する。送信するタイミングは制御部１０５によって制御され、測定部１０４による測定が完了する毎に送信するようにしてもよく、あるいは、外部からの要求があったときや、予め定められた時間間隔で記憶部１０６に格納されたデータを読み出して送信するようにしてもよい。
【００４２】
また、無線送信部１０９は、血圧値や脈拍数等の測定データの他に、角速度検知部１０３により検知される角速度のデータや、制御部１０５により判断されるユーザの健康状態を示す情報を送信するようにしてもよい。また、無線送信部１０９は、例えば、ユーザが動いている等の理由で血圧値や脈拍数の測定が行われなかった場合に、その旨を通知するメッセージやコード等を送信してもよく、何回か再実行した後に測定された場合に、その旨を通知するメッセージやコード等を送信してもよい。あるいは、ユーザが一定時間以上動いていないことが検知された場合は、その旨を通知するメッセージやコード等を送信してもよい。また、無線送信部１０９は、これらのメッセージやコード等を血圧値や脈拍数等の測定値に付加して送信するようにしてもよく、上記測定値とは独立したデータとして送信するようにしてもよい。
【００４３】
（表示部１１０）
表示部１１０は、測定部１０４により測定された血圧値や脈拍数を、ユーザや介護者、主治医等が確認できるように表示するための機能部である。表示部１１０は、例えばＬＣＤ（Ｌｉｑｕｉｄ  Ｃｒｙｓｔａｌ  Ｄｉｓｐｌａｙ）等により構成されてもよい。表示部１１０は、例えば、測定部１０４による血圧値や脈拍数の測定終了後に、制御部１０５から与えられる測定データ等のデータをユーザが確認できるように表示するようにしてもよい。あるいは、ユーザが動いている等の理由で測定が行われなかった場合に、その旨を通知するメッセージを表示してもよい。あるいは、入力部１０２によりユーザがデータを入力しているときに、入力されたデータをユーザが確認できるように表示してもよい。
【００４４】
以上、血圧計１０の構成について説明した。かかる構成により、血圧計１０は、ユーザが静止状態である場合にのみ血圧値や脈拍数を測定することが可能となり、ユーザが意識しなくても自動的に精度の高い測定値を得ることができるようになる。また、ユーザが一定時間以上静止した状態である場合に血圧値等を測定して送信することにより、介護者等が離れた場所にいる場合であっても、ユーザが一定時間以上動いていないことを知ることができ、さらに、送信された血圧等の値からユーザの安否確認を行うことができる。
【００４５】
なお、血圧計１０は、例えば、ＣＰＵ（Ｃｅｎｔｒａｌ  Ｐｒｏｃｅｓｓｉｎｇ  Ｕｎｉｔ）や各種の記憶媒体等により構成されてもよい。また、記憶媒体としては、例えば、半導体メモリ、光ディスク、磁気ディスクまたはその他の記憶媒体等であってもよい。また、血圧計１０を構成する各機能部の一部又は全部の機能は、上記のような記憶媒体に記憶されたプログラムに基づいてＣＰＵにより実現されるものであってもよく、あるいは、上述した各機能を実行可能なプロセッサ等のハードウェアによりその機能が実現されてもよい。
【００４６】
（通信装置２０）
次に、図４及び図５に基づいて、本実施形態にかかる測定システム１で使用される通信装置２０の構成について説明する。なお、図４は、本実施形態にかかる通信装置２０の外観を示す平面図である。また、図５は、本実施形態にかかる通信装置２０の概略構成を示すブロック図である。
【００４７】
本実施形態にかかる通信装置２０は、図４に示すように、各素子が設置された回路基板（図示せず）等を内部に含む本体２００、血圧計１０からの無線信号を受信するアンテナ２２０等から構成される。さらに、本体２００の上面には、ユーザが各種設定値を入力するためのキー入力部２０３と、各種データをユーザが確認できるように表示するための表示部２１１とが設けられる。また、図示していないが、通信装置２０には、音声を入力するためのマイクや、音声を出力するためのスピーカやブザー等が設けられてもよい。
【００４８】
次に、図５に基づいて、通信装置２０の本体２００内部の概略構成を説明する。通信装置２０の本体２００は、図５に示すように、電源部２０１と、無線受信部２０２と、キー入力部２０３と、音声入力部２０４と、制御部２０５と、記憶部２０６と、送信データ作成部２０７と、送信部２０８と、音声出力部２０９と、ダイヤリング部２１０と、表示部２１１とにより構成される。以下、通信装置２０の各部について説明する。
【００４９】
（電源部２０１）
電源部２０１は、通信装置２０が動作するための電力を供給するための機能部である。通信装置２０は、例えば、本体２００に設けられて電源をオン／オフするために用いられる電源ボタン（図示せず）等により、制御部２０５等への電力供給／遮断の切り替えが行われる。電源部２０１は、ユーザの操作により電源ボタンがオンにされたことを検知すると、本体２００内部に内蔵された携帯用バッテリ、あるいは電源をコンセント等から直接供給するアダプタ（いずれも図示せず）から電力を制御部２０５に供給する。また、電源部２０１は、電源ボタンがオフにされたことを検知すると、制御部２０５への電力供給を停止する。
【００５０】
（無線受信部２０２）
無線受信部２０２は、血圧計１０の無線送信部１０９より送信された無線信号をアンテナ２２０を介して受信するための機能部である。なお、本実施形態にかかる無線受信部２０２は、本発明にかかる生体信号受信部の一例である。無線受信部２０２は、アンテナ２２０により受信された無線信号を受け取って復調し、受信信号内に含まれるデータを分離する。分離されたデータは、無線受信部２０２から制御部２０５に入力される。
【００５１】
（キー入力部２０３）
キー入力部２０３は、各種の設定情報を入力するためのボタンやスイッチ等からなる。キー入力部２０３は、例えば、介護者や医療機関等の電話番号やメールアドレス等の連絡先、無線受信部２０２で用いられる無線通信に関する設定情報、送信部２０８で用いられるネットワーク設定情報、音声出力部２０９の音声出力に関する設定情報、ダイヤリング部２１０で用いられる電話の設定情報等を入力するために用いられる。
【００５２】
（音声入力部２０４）
音声入力部２０４は、ダイヤリング部２１０が電話回線を介して送信する音声メッセージ等を入力するための機能部である。音声入力部２０４は、音声を直接入力して電気信号に変換するマイクロホン（図示せず）等であってもよく、あるいは、既に録音された音声データを入力可能なインタフェースからなるものであってもよい。音声入力部２０４から入力された音声データは、制御部２０５に与えられ、制御部２０５によって記憶部２０６に格納される。
【００５３】
（制御部２０５）
制御部２０５は、通信装置２０の各部を制御して通信装置２０を動作させるための機能部である。制御部２０５は、無線受信部２０２、キー入力部２０３及び音声入力部２０４から入力されるデータを受け取り、記憶部２０６に格納する。また、制御部２０５は、無線受信部２０２により受信されたデータや、記憶部２０６から読出したデータを送信データ作成部２０７に入力して送信データを作成させ、作成された送信データを送信部２０８に入力して送信させる。また、制御部２０５は、記憶部２０６に格納されている音声メッセージ等を読み出し、音声出力部２０９から出力させたり、ダイヤリング部２１０を通じて公衆回線網により送信するように制御する。また、制御部２０５は、無線受信部２０２、キー入力部２０３及び音声入力部２０４から入力されるデータや、記憶部２０６から読み出したデータを表示部２１１に表示させる。
【００５４】
本実施形態にかかる制御部２０５は、本発明にかかる比較部を内部に含むものであって、血圧計１０から受信した血圧値または脈拍数等の測定データを予め設定された基準値と比較する機能を有する。以下、本発明にかかる比較部として機能する制御部２０５の機能について説明する。
【００５５】
制御部２０５は、無線受信部２０２を介して血圧計１０から血圧値及び脈拍数等の生体情報を受信すると、記憶部２０６に格納されている血圧値及び脈拍数等のそれぞれの基準値を取得し、取得された基準値と受信した血圧値等の測定値とを比較する。比較の結果、制御部２０５は、測定値が異常な値であるか否かを判定し、これによりユーザの健康状態を判断する。ここで、判定する際には、基準値と測定値とが一致するか否かにより判定してもよく、あるいは、基準値の上限値と下限値とを設け、測定値が上限値と下限値との間にあるか否かにより判定してもよい。また、健康状態の判断結果は、異常であるか否かのいずれかとしてもよいし、あるいは、測定値がどの範囲に属するかによって健康状態を複数の状態に分類してもよい。
【００５６】
さらに、制御部２０５は、基準値と測定値との比較結果に応じて、送信部２０８、音声出力部２０９またはダイヤリング部２１０のいずれかにより出力を行うように各部を制御する。例えば、比較の結果、ユーザの健康状態が非常に悪く、緊急事態であると判断された場合は、送信部２０８から家族の携帯電話に対して緊急事態である旨を通知する電子メールを送信したり、ダイヤリング部２１０により家族や医療機関等の電話に電話を掛け、緊急事態である旨を通知する音声メッセージを送信するようにしてもよい。あるいは、音声出力部２０９から警告アラーム等を発することにより、別室にいる家族や医師等に緊急事態であることを通知するようにしてもよい。また、健康状態が通常の状態である場合は、送信部２０８を通じて測定値のデータのみを医療機関や自治体等のコンピュータに送信するようにしてもよい。
【００５７】
また、制御部２０５は、血圧計１０から測定値以外のメッセージやエラーコード等を受信した場合は、その旨を通知するように送信部２０８、音声出力部２０９またはダイヤリング部２１０を制御するようにしてもよい。例えば、血圧計１０を装着したユーザが一定時間以上動いていないことを表すメッセージ等を受け取った場合、送信部２０８やダイヤリング部２１０からその旨を通知する電子メールや音声メッセージを送信したり、音声出力部２０９から警告アラーム等を発するようにしてもよい。あるいは、血圧計１０から一定回数以上測定に失敗したことを表すメッセージを受け取った場合、送信部２０８やダイヤリング部２１０からその旨を通知する電子メールや音声メッセージを送信し、メッセージを受け取った人に注意を促すようにしてもよい。
【００５８】
（記憶部２０６）
記憶部２０６は、各種設定値や、血圧計１０から受信した血圧値等の測定データや血圧計１０のユーザの健康状態に関する各種データを記憶するための記憶部である。記憶部２０６は、例えば、無線受信部２０２で用いられる無線通信に関する設定情報、データ送信部２０８で用いられるネットワーク設定情報、音声出力部２０９の音声出力に関する設定情報、ダイヤリング部２１０で用いられる電話の設定情報等の各種の設定情報を記憶する。また、記憶部２０６は、血圧計１０から受信した血圧値や脈拍数等の測定データ、測定データの付加情報、測定データとは別に受信したメッセージやコード等を記憶する。このとき、通信装置２０が複数の血圧計１０から測定データを受信する場合、記憶部２０６は、各血圧計１０を使用するユーザを示す情報と対応付けて測定データを記憶するようにしてもよい。また、記憶部２０６は、測定データに加えて、測定データから判断されるユーザの健康状態に関する情報を記憶するようにしてもよい。
【００５９】
また、記憶部２０６は、ユーザの健康状態に関する情報を通知する電話番号やメールアドレス等の連絡先を記憶する。ここで、記憶部２０６は、上述した測定データと同様に、各ユーザを示す情報と連絡先を示す情報とを対応付けて記憶するようにしてもよい。
【００６０】
また、記憶部２０６は、血圧計１０から受信した血圧値や脈拍数が異常な値であるか否かを判断するための基準値を記憶する。基準値は、各ユーザ毎に設定され、記憶部２０６にはユーザを示す情報と基準値とを対応付けて記憶されてもよい。さらに、記憶部２０６は、各ユーザに対応する複数の基準値を記憶するようにしてもよい。
【００６１】
（送信データ作成部２０７）
送信データ作成部２０７は、送信部２０８より送信するデータを作成するための機能部である。送信データ作成部２０７は、制御部２０５から血圧値や脈拍数、ユーザの健康状態を通知するメッセージ等のデータを受け取り、送信用のデータを作成する。作成される送信用データは、電子メールであってもよく、テキストやＨＴＭＬ（Ｈｙｐｅｒ  Ｔｅｘｔ  Ｍａｒｋｕｐ  Ｌａｎｇｕａｇｅ）等の各種のデータ形式の電子データであってもよい。作成された送信データは、制御部２０５を介して送信部２０８に与えられ、送信部２０８からインターネット３２やＬＡＮ３３を経由して医療機関や自治体等に送信される。
【００６２】
（送信部２０８）
送信部２０８は、ユーザの健康状態に関するデータを外部装置に対し送信するための機能部である。送信部２０８は、インターネット３２やＬＡＮ３３を介して、ユーザの家族や介護者、病院や自治体等のコンピュータ３６や携帯電話３５等の外部機器と接続され、送信データ作成部２０７によって作成されたデータを送信する。データは、電子メールにより送信されてもよく、あるいは、ＦＴＰ（Ｆｉｌｅ  Ｔｒａｎｓｆｅｒ  Ｐｒｏｔｏｃｏｌ）等の通信プロトコルにより送信されてもよい。
【００６３】
（音声出力部２０９）
音声出力部２０９は、音声によりユーザの健康状態に関する情報を出力するための機能部である。音声出力部２０９は、制御部２０５の制御により動作し、例えば、ユーザの血圧値等に異常があった場合に異常を通知するための音声を出力するように構成される。音声出力部２０９は、例えば、ユーザが認識可能な音を発するブザー等であってもよく、あるいは、音声メッセージを出力可能なスピーカ等であってもよい。
【００６４】
（ダイヤリング部２１０）
ダイヤリング部２１０は、公衆回線網３１により介護者や自治体、医療機関等の固定電話３４や携帯電話３５に電話を掛けるための機能部である。ダイヤリング部２１０は、制御部２０５の制御により動作し、制御部２０５から入力される電話番号をダイヤルする。ダイヤリング部２１０からのコールに対し、相手側で応答があると、ダイヤリング部２１０は応答があったことを制御部２０５に通知する。さらに、制御部２０５からの指示を受けて、制御部２０５から入力される音声メッセージを公衆回線網３１を経由して相手側に伝送する。なお、ここでは、公衆回線網により電話を掛けることを想定して説明したが、これは、医療機関や自治体等において用いられる専用回線網を用いて行ってもよい。
【００６５】
（表示部２１１）
表示部２１１は、無線受信部２０２によって受信されたデータやキー入力部２０３から入力されたデータをユーザや介護者、主治医等が確認できるように表示するための機能部である。表示部２１１は、例えばＬＣＤ（Ｌｉｑｕｉｄ  Ｃｒｙｓｔａｌ  Ｄｉｓｐｌａｙ）等により構成される。表示部２１１は、例えば、無線受信部２０２によって血圧値や脈拍数を受信後に、それらの値をユーザが確認できるように表示するようにしてもよい。あるいは、それらの測定データから異常が検出された場合に、異常を示すメッセージ等を表示するようにしてもよい。あるいは、キー入力部２０３によりユーザがデータを入力しているときに、入力されたデータをユーザが確認できるように表示してもよい。
【００６６】
以上、通信装置２０の構成について説明した。かかる構成により、通信装置２０は、血圧計１０によって測定された血圧値や脈拍数が、予め設定された基準値を超えていたり、基準値よりも値が低すぎる場合、直ちに家族や主治医等に電話やメールで通知することができる。これにより、家族や主治医が患者や高齢者と離れた場所にいる場合であっても、家族や主治医は、患者や高齢者の健康状態の変化をすぐに感知することができ、迅速に処置をとることができる。また、病院や自治体において、通信装置２０に蓄積された血圧値や脈拍数等の生体情報のデータや、それらのデータから判断される健康状態に関する情報を活用することにより、患者や高齢者の健康状態をさらに詳細に分析し、適切な処方を行うために役立てることができる。
【００６７】
なお、通信装置２０は、例えば、ＣＰＵ（Ｃｅｎｔｒａｌ  Ｐｒｏｃｅｓｓｉｎｇ  Ｕｎｉｔ）や各種の記憶媒体等により構成されてもよい。なお、記憶媒体としては、例えば、半導体メモリ、光ディスク、磁気ディスクまたはその他の記憶媒体等であってもよい。また、通信装置２０を構成する各機能部の一部又は全部の機能は、上記のような記憶媒体に記憶されたプログラムに基づいてＣＰＵにより実現されるものであってもよく、あるいは、上述した各機能を実行可能なプロセッサ等のハードウェアによりその機能が実現されてもよい。
【００６８】
次に、図６及び図７に基づいて、本実施形態にかかる測定システム１において実行される処理について説明する。なお、図６は、本実施形態にかかる測定システム１の血圧計１０において実行される処理の流れを示すフローチャートである。また、図７は、本実施形態にかかる測定システム１の通信装置２０において実行される処理の流れを示すフローチャートである。
【００６９】
まず、図６に基づいて、本実施形態にかかる測定システム１の血圧計１０において実行される処理の一例について説明する。
【００７０】
まず、ステップＳ６００で、制御部１０５において、測定時刻であるか否かを判断する。測定時刻でない場合は、ステップＳ６０２に遷移し、角速度検知部１０３により一定時間継続的に検知された角速度のデータを記憶部１０６から読み出し、一定時間以上ユーザが動いていない状態であるか否かを判断する。ここで、一定時間内にユーザが動いていると判断された場合は、初期状態に戻る。一方、一定時間以上ユーザが動いていないと判断された場合は、ステップＳ６１０に遷移し、血圧値や脈拍数の測定を行う。
【００７１】
ステップＳ６００において、測定時刻であると判断された場合、ステップＳ６０４に遷移し、角速度検知部１０３により検知された角速度の値からユーザが安静状態であるか否かを判断する。ここで、安静状態であると判断された場合は、ステップＳ６１０に遷移し、血圧値や脈拍数の測定を行う。
【００７２】
一方、ステップＳ６０４で、ユーザが安静状態ではないと判断された場合は、ステップＳ６０６に遷移し、再試行回数が所定の閾値を超えたか否かを判断する。ここで、再試行回数が閾値を超えていない場合は、ステップＳ６０８に遷移し、所定の保護時間の経過後に、再びステップＳ６０４を実行する。
【００７３】
ステップＳ６０６で再試行回数が閾値を超えていると判断された場合は、測定を行わず、ステップＳ６１８に遷移する。そして、ステップＳ６１８で、測定が正常に行われなかったことを示す状態コードを付与し、ステップＳ６２２で状態コードを通信装置２０に送信する。
【００７４】
測定時刻においてユーザが安静状態であることが確認された場合（ステップＳ６０４）、もしくは、測定時刻ではないが、ユーザが一定時間以上動いていない状態であると判断された場合（ステップＳ６０２）、ステップＳ６１０以降で測定処理を行う。ステップＳ６１０において、制御部１０５は、測定部１０４、モータ駆動部１０７及び圧力制御部１０８等を制御して、脈圧信号を検出する。次いで、ステップＳ６１２で、脈圧信号を電気信号に変換し、変換された電気信号を用いて演算処理を行うことによって血圧値や脈拍数を算出する。
【００７５】
次いで、ステップＳ６１４で、測定が正常に終了したか否かを判定する。例えば、測定途中に血圧計１０がユーザの身体から外される等、何らかの異常が発生し、測定が正常に終了しなかった場合は、ステップＳ６１６に遷移し、再試行回数が所定の閾値を超えたか否かを判断する。ここで、再試行回数が閾値を超えていない場合は、ステップＳ６１０に戻って再度測定処理を実行する。
【００７６】
ステップＳ６１６において、再試行回数が閾値を超えていると判断された場合は、測定を行わず、ステップＳ６１８に遷移する。そして、ステップＳ６１８で、測定が正常に行われなかったことを示す状態コードを付与し、ステップＳ６２２で状態コードを通信装置２０に送信する。
【００７７】
測定が正常に終了したと判断された場合は、ステップＳ６２０で、測定値を記憶部１０６に格納する。次いで、ステップＳ６２２で、測定値のデータを通信装置２０に送信する。
【００７８】
次に、図７に基づいて、本実施形態にかかる測定システム１の通信装置２０において実行される処理の一例について説明する。
【００７９】
まず、ステップＳ７００で、通信装置２０は、図６のステップＳ６２２で血圧計１０が送信した測定値データを受信する。通信装置２０は、受信した測定値データを記憶部２０６に格納する。
【００８０】
次いで、ステップＳ７０２で、測定値データに付加された状態コード等から、測定が正常に終了したか否かを判定する。測定が正常に終了していないと判断された場合は、ステップＳ７０４に遷移し、次回測定時刻まで待機する。
【００８１】
測定が正常に終了した場合は、ステップＳ７０６に遷移し、測定時刻等に基づいて記憶部２０６に格納されている基準値を取得する。
【００８２】
次いで、ステップＳ７０８で、測定値と基準値とを比較し、測定値が正常と判断される基準範囲内であるか、基準範囲外であるかを判定する。ここで、基準範囲内と判定された場合は、ユーザの健康状態に異常がないと判断できるため、ステップＳ７１６に遷移し、測定データを外部装置に対して送信する。
【００８３】
一方、ステップＳ７０８で、測定値が基準範囲外であると判定された場合は、ステップＳ７１０に遷移し、音声による通知を行うか否かを判断する。音声による通知を行う場合は、ステップＳ７１２で、記憶部２０６に格納されている電話番号を読み出して電話を掛け、音声メッセージを送信する。
【００８４】
次いで、ステップＳ７１４で、異常であることを示す範囲外コードを測定値データに付与し、送信データ作成部２０７により送信データを作成する。次いで、ステップＳ７１６で、作成された送信データを、送信部２０８から介護者や自治体、医療機関等に送信する。
【００８５】
以上、本実施形態にかかる測定システム１において実行される処理について説明した。医療機関や自治体においては、このような処理を通じて送信された情報を蓄積し、分析することにより、血圧計１０のユーザである患者や高齢者の健康状態を把握し正しい処方を施すための資料として使用することができる。あるいは、健康状態に異変があった場合に、異変を通知する情報が介護者や自治体、医療機関等に送信されることによって、受信した人が即時に適切な対処を取ることができる。
【００８６】
（血圧計１０の変形例）
さらに、図８に基づいて、上述した血圧計１０の変形例について説明する。ここで、図８は、本実施形態にかかる血圧計１０の変形例を示すブロック図である。
【００８７】
本変形例にかかる血圧計１０は、上述した血圧計１０の構成に加えて、個人認証部１１２をさらに備えることを特徴とする。
【００８８】
個人認証部１１２は、入力部１０２からユーザが入力した認証コードやパスワード等に基づいて個人認証を行うための機能部である。個人認証部１１２は、入力部１０２から入力された認証コードやパスワード等の認証情報を受け取って、予め格納されている認証情報と照合し、認証結果を制御部１０５に通知する。制御部１０５は、認証結果に基づいて、各部の動作を制御する。例えば、入力された認証情報が正しくない場合に、血圧値や脈拍数等の測定を行わないように測定部１０４等を制御するようにしてもよく、あるいは、認証情報が正しくないことを通知するメッセージを表示部１１０に表示させるようにしてもよい。また、認証情報が正しい場合、認証されたユーザを特定する識別情報を測定データに付加して通信装置２０に送信するようにしてもよい。
【００８９】
かかる構成により、血圧計１０を複数人で共有して使用する場合等に、測定システムにおいて血圧計１０を使用しているユーザが誰であるかを認識することができる。また、認証されたユーザだけが測定機能を利用できるようにしたり、血圧計１０に格納されている測定データ等にアクセス権限を設定し、自分の測定データ以外にはアクセスできないようにすることも可能となる。また、認証されたユーザを示す識別情報を通信装置２０に送信することにより、通信装置２０で識別情報を利用して異常判断等を行うことができるようになる。
【００９０】
（第２の実施形態）
次に、図９に基づいて、本発明の第２の実施形態にかかる測定システムについて説明する。図９は、本実施形態にかかる測定システム２の構成を示す説明図である。
【００９１】
（測定システム２の構成）
本実施形態にかかる測定システム２は、図９に示すように、血圧計４０と、通信装置５０と、複数の中継装置６０ａ〜６０ｃとから構成される。なお、図示していないが、上述した第１の実施形態と同様に、通信装置５０は、公衆回線網、インターネット、ＬＡＮ等のネットワークを介して介護者や自治体、医療機関等の固定電話、携帯電話、またはサーバ等のコンピュータと接続される。
【００９２】
本実施形態にかかる測定システム２は、上述した第１の実施形態にかかる測定システムの構成に加えて、血圧計４０を装着したユーザが移動する各部屋毎に設置される複数の中継装置６０ａ〜６０ｃを含み、中継装置６０ａ〜６０ｃにより中継される信号によって通信装置５０がユーザの位置情報を取得できるようにすることを特徴とする。
【００９３】
（中継装置６０ａ〜６０ｃ）
中継装置６０ａ〜６０ｃは、血圧計４０から通信装置５０に送信される無線信号を中継するための装置である。中継装置６０ａ〜６０ｃは、血圧計４０から送信される信号を受信し、受信した信号を通信装置５０に送信する。このとき、中継装置６０ａ〜６０ｃは、血圧計４０から受信した信号をそのまま通信装置５０に送信してもよく、血圧計４０から受信した信号に任意の情報、例えば、信号を中継した中継装置６０ａ〜６０ｃを示す識別番号等を付加して通信装置５０に送信するようにしてもよい。
【００９４】
また、中継装置６０ａ〜６０ｃは、血圧計４０を装着したユーザが移動する範囲内の複数個所に設置され、血圧計４０から送信される信号が中継装置６０ａ〜６０ｃのうちのいずれか１つによって中継されるように構成される。例えば、中継装置６０ａ〜６０ｃを、ユーザの自宅の各部屋に１つずつ配置し、血圧計４０との距離が最も近い中継装置６０ａ〜６０ｃによって信号が中継されるようにしてもよい。これにより、中継装置６０ａ〜６０ｃのいずれかによって中継された信号を受信した通信装置５０は、受信した信号がどの中継装置６０ａ〜６０ｃによって中継されたかという情報を取得することによって、血圧計４０を装着したユーザのおおよその位置を知ることが可能となる。
【００９５】
以下、本実施形態にかかる測定システム２の血圧計４０及び通信装置５０について説明する。本実施形態にかかる血圧計４０及び通信装置５０は、第１の実施形態にかかる血圧計１０及び通信装置２０と実質的に同一の機能を含むものであるので、重複する部分に関しては説明を省略する。以下では、血圧計４０及び通信装置５０の機能のうち、本実施形態において特徴的な部分を中心に説明する。
【００９６】
（血圧計４０）
まず、図１０に基づいて、本実施形態にかかる測定システム２で使用される血圧計４０の構成について説明する。なお、図１０は、本実施形態にかかる血圧計４０の本体４００内部の概略構成を示すブロック図である。
【００９７】
本実施形態にかかる血圧計４０は、図２に示す第１の実施形態にかかる血圧計１０と実質的に同一の外観を有し、本体４００と、ユーザの上腕または手首等に装着可能なカフ（図示せず）とから構成される。血圧計４０の本体４００内部は、図１０に示すように、電源部４０１と、入力部４０２と、角速度検知部４０３と、測定部４０４と、制御部４０５と、記憶部４０６と、モータ駆動部４０７と、圧力制御部４０８と、無線送信部４０９と、表示部４１０と、位置信号送信部４１１とにより構成される。
【００９８】
本実施形態にかかる血圧計４０は、位置信号送信部４１１を備える点を除いては、上述した第１の実施形態にかかる血圧計１０の各部に該当する構成要素と実質的に同一の構成を有する。以下、本実施形態にかかる血圧計４０の位置信号送信部４１１について説明する。
【００９９】
（位置信号送信部４１１）
位置信号送信部４１１は、通信装置５０が血圧計４０を装着したユーザの位置を認識可能にするための信号を送信するための機能部である。位置信号送信部４１１は、所定の時間間隔で無線信号を中継装置６０ａ〜６０ｃに対して送信する。ここで、送信される無線信号を位置信号と呼ぶ。あるいは、角速度検知部４０３で検知された角速度から、一定時間内、例えば１５分以内にユーザが動いたことが検知された場合のみ、位置信号を送信するようにしてもよい。あるいは、ユーザが動いたことが検知されない場合であっても、前回の信号発信から一定時間以上、例えば１時間以上経過した場合には位置信号を送信するようにしてもよい。送信される位置信号には、例えば送信時刻や、動作状況（例えば、ユーザが動いたと検知されたか否か）を示す情報が含まれてもよい。
【０１００】
なお、本実施形態においては、位置信号送信部４１１を無線送信部４０９とは別の構成要素として説明したが、位置信号送信部４１１は、無線送信部４０９と一体に構成されるものであってもよい。
【０１０１】
（通信装置５０）
次に、図１１に基づいて、本実施形態にかかる測定システム２で使用される通信装置５０の構成について説明する。なお、図１１は、本実施形態にかかる通信装置５０の本体５００内部の概略構成を示すブロック図である。
【０１０２】
本実施形態にかかる通信装置５０は、図４に示す第１の実施形態にかかる通信装置２０と実質的に同一の外観を有し、本体５００と、アンテナ（図示せず）とから構成される。通信装置５０の本体５００内部は、図１１に示すように、電源部５０１と、無線受信部５０２と、キー入力部５０３と、音声入力部５０４と、制御部５０５と、記憶部５０６と、送信データ作成部５０７と、送信部５０８と、音声出力部５０９と、ダイヤリング部５１０と、表示部５１１と、位置信号受信部５１２とにより構成される。
【０１０３】
本実施形態にかかる通信装置５０は、新たに備える位置信号受信部５１２と、記憶部５０６と、制御部５０５とを除いては、上述した第１の実施形態にかかる通信装置２０の各部に該当する構成要素と実質的に同一の構成を有する。以下、本実施形態にかかる通信装置５０の位置信号受信部５１２、記憶部５０６及び制御部５０５について説明する。
【０１０４】
（位置信号受信部５１２）
位置信号受信部５１２は、血圧計１０の位置信号送信部４１１より送信された位置信号をアンテナを介して受信するための機能部である。位置信号受信部５１２は、アンテナを介して受信した位置信号を復調し、復調された信号を制御部５０５に入力する。あるいは、復調された信号内に含まれるデータを分離し、分離されたデータを制御部５０５に入力するようにしてもよい。なお、本実施形態においては、位置信号受信部５１２を無線受信部５０２とは別の構成要素として説明したが、位置信号受信部５１２は、無線受信部５０２と一体に構成されるものであってもよい。
【０１０５】
（記憶部５０６）
記憶部５０６は、上述した第１の実施形態にかかる通信装置２０の記憶部２０６に記憶される情報に加え、ユーザの位置情報及び／または時刻情報に応じて設定された複数の基準値を記憶する。なお、本実施形態にかかる記憶部５０６は、本発明にかかる基準値記憶部の一例である。
【０１０６】
図１２を参照して、記憶部５０６に記憶される基準値のデータについて説明する。ここで、図１２は、記憶部５０６に記憶される基準値のデータの一例を示す説明図である。図１２に示すように、記憶部５０６には、時刻情報１２０１、位置情報１２０２、及び基準値１２０３が各々対応付けられて記憶されている。時刻情報１２０１は、測定データが測定された時刻に対応しており、位置情報１２０２は、測定データが測定された時刻に最も近い時刻のユーザの位置情報に対応する。基準値１２０３は、時刻情報１２０１及び位置情報１２０２に対応づけられており、測定時刻にユーザが居る位置に応じた血圧値等の基準値が記憶されている。
【０１０７】
また、記憶部５０６は、時刻情報１２０１と位置情報１２０２との組み合わせにおいて、ユーザの通常の行動パターンにはない組み合わせがある場合、その組み合わせを異常と判断するための異常フラグ等を付加したデータを記憶するようにしてもよい。これにより、例えば、位置信号受信部５１２によって受信された位置信号によりユーザの位置情報が取得された際に、その位置情報の取得時刻との組み合わせが異常フラグが付加された組み合わせに該当する場合、介護者や医療機関等に通知することも可能となる。
【０１０８】
（制御部５０５）
制御部５０５は、上述した第１の実施形態にかかる通信装置２０の制御部２０５と実質的に同一の機能を有し、さらに、本発明にかかる位置特定部及び基準値選択部を内部に含む。すなわち、本実施形態にかかる制御部５０５は、位置信号受信部５１２により受信された位置信号に基づいてユーザの位置を特定する位置特定部としての機能と、特定された位置に応じて測定値の異常を判断するための基準値を設定する基準値設定部としての機能とを有する。
【０１０９】
まず、制御部５０５が有する位置特定部としての機能について説明する。制御部５０５は、血圧計４０の位置信号送信部４１１から送信される位置信号に基づいて、血圧計４０を装着したユーザの位置情報を取得する。まず、制御部５０５は、位置信号受信部５１２により位置信号が受信されると、その位置信号が中継装置６０ａ〜６０ｃのうちのいずれを経由して受信された信号であるかを求める。中継装置６０ａ〜６０ｃは、上述したように、ユーザが居る自宅や病院の各部屋等にそれぞれ対応しており、制御部５０５は、位置信号を中継した中継装置を特定することにより、ユーザがどの部屋に居るかというおおよその位置を知ることができる。例えば、図９において、中継装置６０ａ、６０ｂ、６０ｃはそれぞれ、部屋Ｘ、部屋Ｙ、部屋Ｚに対応している。従って、例えば、受信された位置信号が中継装置６０ａを経由したものであった場合、制御部５０５は、ユーザが現在部屋Ｘにいると判断することができる。
【０１１０】
次に、制御部５０５が有する基準値選択部としての機能について説明する。制御部５０５は、血圧計４０より受信した血圧値等を所定の基準値と比較する際に、上述した記憶部５０６に記憶されている複数の基準値の中からユーザの位置情報や測定時刻に応じた基準値を選択して読み出す。図１２に示す基準値の例を用いて説明すると、例えば、血圧値が午前１０：００に測定され、位置信号受信部５１２により受信された位置信号から判断されるユーザの位置が部屋Ｙである場合、血圧値が異常であるか否かを判断するための基準値として「最高血圧値＝ＣＣ、最低血圧値＝ＤＤ」が選択される。
【０１１１】
なお、ここでは、位置情報と時刻情報との両方を用いて基準値を選択する例を用いて説明したが、位置情報または時刻情報のいずれか一方により基準値を選択するようにしてもよい。あるいは、位置情報や時刻情報以外に、ユーザの生活パターンに関する情報を用いて基準値を選択するようにしてもよい。
【０１１２】
以上、本実施形態にかかる測定システム２の構成について説明した。かかる構成により、血圧値や脈拍数が測定された時刻や、そのときのユーザのおおよその位置によって、測定値の判断基準を変更することができるようになる。これにより、ユーザの生活パターンに即した健康状態の異常検知を行うことができるようになり、異常検知の検知精度を向上させることができる。
【０１１３】
（第３の実施形態）
次に、図１３に基づいて、本発明の第３の実施形態にかかる測定システムについて説明する。ここで、図１３は、本実施形態にかかる測定システム３の構成を示す説明図である。
【０１１４】
（測定システム３の構成）
本実施形態にかかる測定システム３は、図１３に示すように、角度センサ７０と、血圧計８０と、通信装置９０とから構成される。なお、図示していないが、上述した第１及び第２の実施形態と同様に、通信装置９０は、公衆回線網、インターネット、ＬＡＮ等のネットワークを介して介護者や自治体、医療機関等の固定電話、携帯電話、またはサーバ等のコンピュータと接続される。
【０１１５】
本実施形態にかかる測定システム３は、上述した第１の実施形態にかかる測定システムの構成に加えて、血圧計８０を装着したユーザの身体に装着される角度センサ７０を含み、角度センサ７０により検知される角度によってユーザの姿勢を認識可能にしたことを特徴とする。
【０１１６】
（角度センサ７０）
角度センサ７０は、ユーザの身体に装着可能な装置であって、角度を検知するための装置である。角度センサ７０は、血圧計８０の装着部位とは別の場所、例えば腰のベルトや衣服の胸の部分等に装着させることが可能なように構成される。角度センサ７０は、無線通信機能を有し、検知された角度の情報を無線信号により血圧計８０に送信する。
【０１１７】
（血圧計８０）
図１３に基づいて、本実施形態にかかる測定システム３で使用される血圧計８０の構成について説明する。
【０１１８】
本実施形態にかかる血圧計８０は、図２に示す第１の実施形態にかかる血圧計１０と実質的に同一の外観を有し、本体８００と、ユーザの上腕または手首等に装着可能なカフ（図示せず）とから構成される。血圧計８０の本体８００内部は、図１３に示すように、電源部８０１と、入力部８０２と、角速度検知部８０３と、測定部８０４と、制御部８０５と、記憶部８０６と、モータ駆動部８０７と、圧力制御部８０８と、無線送信部８０９と、表示部８１０と、角度受信部８１１とにより構成される。
【０１１９】
本実施形態にかかる血圧計８０は、新たに備える角度受信部８１１と制御部８０５とを除いては、上述した第１及び第２の実施形態にかかる血圧計１０及び４０の各部に該当する構成要素と実質的に同一の構成を有する。以下、本実施形態にかかる血圧計８０の角度受信部８１１及び制御部８０５について説明する。
【０１２０】
（角度受信部８１１）
角度受信部８１１は、角度センサ７０から送信される角度のデータを受信するための機能部である。受信された角度のデータは制御部８０５に入力される。
【０１２１】
（制御部８０５）
制御部８０５は、第１及び第２の実施形態にかかる血圧計１０及び４０の制御部と実質的に同一の機能を有し、さらに、角度受信部８１１により受信された角度のデータを用いてユーザの姿勢を判断する状態判断部としての機能を有する。制御部８０５は、角速度検知部８０３により検知された角速度によりユーザが静止状態であることを確認した後、角度受信部８１１を通じて受信した角度の値からユーザの姿勢（座っている状態、寝ている状態等）を判断する。判断に用いられる角度情報には、最も新しく受信した情報が用いられてもよい。また、角速度による判断と、角度による判断とは、逆の順序により実行されてもよい。ユーザの姿勢から血圧値等を測定可能であると判断される場合、測定部８０４等を制御して測定を開始する。測定不可能であると判断された場合は、角速度による状態判断時と同様に、エラーメッセージを送信するようにしたり、あるいは、測定できるまで上述の処理を再実行するようにしてもよい。
【０１２２】
さらに、制御部８０５は、角度受信部８１１により受信された角度情報や、制御部８０５において判断されたユーザの姿勢に関する情報を、無線送信部８０９を介して通信装置９０に送信するようにしてもよい。あるいは、ユーザの姿勢から測定不可能であると判断された場合に、その旨を通知するメッセージやエラーコード等を通信装置９０に送信するようにしてもよい。
【０１２３】
（通信装置９０）
本実施形態にかかる通信装置９０は、上述した第１及び第２の実施形態にかかる通信装置２０及び５０と実質的に同一の構成を有する。通信装置９０は、血圧計８０から角度情報、あるいはユーザの姿勢に関する情報を受信し、測定データの異常を判断するのにそれらの情報を用いて行ってもよい。例えば、ユーザの姿勢に応じた血圧値等の基準値を登録しておき、受信した角度情報や角度情報により判断されるユーザの姿勢に基づいて、血圧値等の異常を判断するための基準値を設定するようにしてもよい。
【０１２４】
このように、本実施形態にかかる測定システム３では、血圧計８０とは別の場所に装着した角度センサを併用することにより、ユーザの姿勢を確認して測定を開始することができ、測定精度をさらに向上することができる。
【０１２５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２６】
例えば、上記実施形態では、通信装置において、測定値からユーザの健康状態に異常がないか否かを判断するものとして説明したが、本発明はかかる例に限定されない。例えば、血圧計に上記判断を行うための手段を備えるようにしてもよい。
【０１２７】
また、上記実施形態では、本発明にかかる測定装置を血圧値及び脈拍数を測定する血圧計に適用した例を用いて説明したが、本発明はかかる例に限定されず、例えば、体温や呼吸数等、ユーザの健康状態を判断することが可能な他の生体情報を測定する機器に適用することが可能である。
【図面の簡単な説明】
【０１２８】
【図１】本発明の第１の実施形態にかかる測定システムの構成を示す説明図である。
【図２】同実施形態にかかる血圧計の外観を示す斜視図である。
【図３】同実施形態にかかる血圧計の概略構成を示すブロック図である。
【図４】同実施形態にかかる通信装置の外観を示す斜視図である。
【図５】同実施形態にかかる通信装置の概略構成を示すブロック図である。
【図６】同実施形態にかかる測定システムの血圧計において実行される処理の流れを示すフローチャートである。
【図７】同実施形態にかかる測定システムの通信装置において実行される処理の流れを示すフローチャートである。
【図８】同実施形態にかかる血圧計の変形例を示すブロック図である。
【図９】本発明の第２の実施形態にかかる測定システムの構成を示す説明図である。
【図１０】同実施形態にかかる血圧計の概略構成を示すブロック図である。
【図１１】同実施形態にかかる通信装置の概略構成を示すブロック図である。
【図１２】同実施形態にかかる通信装置の記憶部に記憶される基準値のデータの一例を示す説明図である。
【図１３】本発明の第３の実施形態にかかる測定システムの構成を示すブロック図である。
【符号の説明】
【０１２９】
１、２、３    測定システム
１０、４０、８０    血圧計
１０１、４０１、８０１    電源部
１０２、４０２、８０２    入力部
１０３、４０３、８０３    角速度検知部
１０４、４０４、８０４    測定部
１０５、４０５、８０５    制御部
１０６、４０６、８０６    記憶部
１０７、４０７、８０７    モータ駆動部
１０８、４０８、８０８    圧力制御部
１０９、４０９、８０９    無線送信部
１１０、４１０、８１０    表示部
１１２    個人認証部
１２０    カフ
４１１  位置信号送信部
８１１  角度受信部
２０、５０、９０    通信装置
２０１、５０１    電源部
２０２、５０２    無線受信部
２０３、５０３    キー入力部
２０４、５０４    音声入力部
２０５、５０５    制御部
２０６、５０６    記憶部
２０７、５０７    送信データ作成部
２０８、５０８    送信部
２０９、５０９    音声出力部
２１０、５１０    ダイヤリング部
２１１、５１１    表示部
２２０    アンテナ
５１２    位置信号受信部
３１    公衆回線網
３２    インターネット
３３    ＬＡＮ
３４    固定電話
３５    携帯電話
３６    コンピュータ
６０ａ、６０ｂ、６０ｃ    中継装置
７０    角度センサ
【図１】
2008167899.tif 000003
【図２】
2008167899.tif 000004
【図３】
2008167899.tif 000005
【図４】
2008167899.tif 000006
【図５】
2008167899.tif 000007
【図６】
2008167899.tif 000008
【図７】
2008167899.tif 000009
【図８】
2008167899.tif 000010
【図９】
2008167899.tif 000011
【図１０】
2008167899.tif 000012
【図１１】
2008167899.tif 000013
【図１２】
2008167899.tif 000014
【図１３】
2008167899.tif 000015